(57)【要約】【課題】手持ち式高圧水噴射ガンの作業後の噴射水や飛散物を効率よく回収することができる。【解決手段】高圧水噴射ガン１の先端に筒状の固定カバー３を取り付け、この固定カバーと同じ径の自在に動ける保護カバー４を固定カバーの先に取り付けて隙間１７を設け、固定カバー３の内部を吸引減圧して隙間から空気を吸い込み、飛散物や噴射水をこの空気に随伴させて吸引回収する。【選択図】　　　図１
2004114025.tif 000002
【特許請求の範囲】
【請求項１】
筒状の固定カバー（３）の開放した先端部分に固定カバーと同じ径の筒状の保護カバー（４）を着脱自在に取り付け、この筒状の保護カバーを固定カバーに対して自在に動ける構造とすると共に固定カバー内部を吸引減圧できる構造とし、高圧水噴射ガン（１）の先端に取り付けて利用する噴射水回収装置。
【請求項２】
前記保護カバー（４）は、固定カバー（３）に少なくとも三箇所の着脱自在な取り付け具（１１）により、固定カバーに対し自在に動ける状態で保持されている構造とする請求項１記載の噴射水回収装置。
【請求項３】
前記固定カバーは一端が開放した形状で、他端は高圧水噴射ガンに着脱自在に固定できると共に、内部を吸引減圧するための吸引口（５）を設けた構造とする請求項１記載の噴射水回収装置。
【請求項４】
前記保護カバーの先端の部分には緩衝材（２１）又はシール材（１９）を設ける構造とする請求項１記載の噴射水回収装置。
【請求項５】
前記保護カバーと固定カバーの間に隙間（１７）を設けると共に隙間の間隔を調整できる構造とする請求項１記載の噴射水回収装置。
【発明の詳細な説明】
【０００１】
【発明の属する技術分野】
本発明は超高圧水を利用してコンクリート構造物表面の劣化部除去並びに付着物や金属の塗装面の塗料を取り除くための手持ち式高圧水噴射ガンの噴射水回収装置に関するものである。
【０００２】
【従来の技術】
従来、コンクリート構造物の劣化部除去や金属の表面の塗料や付着物を取り除く場合、高圧水を利用した除去方法が行われている。この高圧水を使用した方法では、噴射ガンをむき出しのまま使用するかまたは噴射ガンの先端に噴射ガンの先端保護カバーを取り付けた構造のものが使用されている。
【０００３】
【発明が解決しようとする課題】
従来の高圧水によるコンクリート構造物の劣化部除去や金属の表面の塗料や付着物を取り除く方法では、高圧水噴射ガンを直接対象物に向けて作業をする。この場合、高圧水噴射ガンから噴射された高圧水や除去された塗料やコンクリート粉は飛散し、周囲を汚したり、また、むき出しのままのノズルから噴射される高圧水により、大きな騒音が発生するという問題点があった。
【０００４】
本発明は、噴射ノズルの先端に筒状の固定カバーを設け、この固定カバーに自在に動く筒状の保護カバーを取り付け、対象物に対し常に密着してこの保護カバーを当てられる構造にすると共に固定カバー内を減圧する事により、噴射水や除去飛散物を吸引して回収し所定の場所に排出しようとするものであり、噴射後の汚染水や有害除去物を効率よく、しかも、安全に回収するための高圧水噴射ガンの噴射水回収装置を提供することを目的としている。
【０００５】
【議題を解決するための手段】
上記目的を達成するために、筒状の固定カバーの開放した先端部分に固定カバーと同じ径の筒状の保護カバーを着脱自在に取り付け、この筒状の保護カバーを固定カバーに対して自在に動ける構造とすると共に固定カバー内部を吸引減圧できる構造とし、高圧水噴射ガンの先端に取り付けて利用するものとする。
【０００６】
保護カバーは、固定カバーに少なくとも三箇所の着脱自在な取り付け具により、固定カバーに対し自在に動ける状態で保持されている構造とする。
【０００７】
固定カバーは一端が開放した形状で、他端は高圧水噴射ガンに着脱自在に固定できると共に、内部を吸引減圧するための吸引口を設けた構造とする。
【０００８】
保護カバーの先端の部分には緩衝材又はシール材を設ける構造とする。
【０００９】
保護カバーと固定カバーの間に隙間を設けると共に隙間の間隔を調整できる構造とする。
【００１０】
【発明の実施の形態】
発明の実施の形態を実施例にもとづき図面を参照して説明する。
図１において示される実施例において、手持ち式高圧水噴射ガンに本発明の噴射水回収装置を装着した状態を示す。高圧水噴射ガン１のケーシングの先端に本装置を固定するための固定具２を取り付けて、この固定具２に先端に保護カバー４を付けた固定カバー３を装着した状態である。固定カバー３には固定カバー３の内部を吸引減圧するための吸引口５が設けてあり、吸引口５の先端には吸引ホース６が取り付けてあり、吸引装置Ａに接続されている。また、高圧水噴射ガン１の高圧水取り入れ口７に取り付けられた高圧ホース８およびエアーモーター用の３圧縮空気取り入れ口９に取り付けられたエアホース１０はそれぞれ高圧水発生装置Ｂおよび圧縮空気発生装置Ｃに接続されている。
【００１１】
尚、高圧水噴射ガン１は先端のノズルチップ１４、ノズルヘッド１５、シャフト１６とこれらの部分を回転させる駆動部およびケーシング等から構成されている。そして、本発明の噴射水回収装置はこのケーシングの先端に取付けてある固定具２にボルト、ナットで固定する構造になっている。ノズルチップ１４はノズルヘッド１５に少なくとも一個付けてあり、ノズルヘッド１５はシャフト１６に取付けてある。シャフト１６は空気圧で回転するエアモーターに連結してある。シャフト１６は中空で内部を高圧水が流れ、ノズルヘッド１５に取付けてあるノズルチップ１４から高圧水を噴射する構造になっている。
【００１２】
図２において示される実施例では、本装置の構造と高圧水噴射ガン取り付け部の詳細に付いて示す。本装置の噴射ガン１への取り付けは、本装置の固定カバー３を高圧水噴射ガン１のケーシングにボルト、ナットで固定してある固定具２に取り付けるようになっており、この際、ノズルチップ１４を取付けたノズルヘッド１５が作業中に対象物に接触して損傷しないように、ノズルヘッド１５を保護する必要がある。そのため、保護カバー４は作業中の動きに拘わらず、ノズルヘッド１５の先端より、前に出るように取付けられている。また、固定カバー３には噴射水を吸引して回収するための空気の吸引口５があり、先端には吸引ホース６が取り付けられるようになっている。
【００１３】
そして、本装置の構造は高圧水噴射ガン１の固定具２に一端が開放した筒型の固定カバー３が取付けてあり、固定カバー３には、その端部の外側の円周上に均等に三箇所の取り付け具１１が着脱自在に取付けられている。この固定カバー３に固定カバー３と同じ径の保護カバー４が取り付け具１１により、着脱自在に取り付けられている。
【００１４】
そして、取り付け具１１は固定カバー３の外周に一定間隔で三個設けてあり、固定カバー３の外側に固定ボルト、ナット１２で固定してある。保護カバー４は取り付け具１１に止め具１３で固定してある。そして、この取り付け具１１に止め具１３で固定してある保護カバー４は取り付け具１１に設けてある長穴１８構造により、固定カバー３に対し前後に移動可能な状態にあり、また、取り付け具と保護カバーの間に間隔を持たせることにより、常に、対象物に密着した状態で自在に動ける構造となっている。
【００１５】
また、長穴１８の大きさを一定にする事により、対象物に対して、作業中に高圧水噴射ガン１の角度を変化させて密着した状態を維持する場合においても固定カバー３と保護カバー４の間に常に空気を吸い込むための隙間１７ができるようになっている。そして、保護カバー４が作業に際して対象物に密着した場合、この隙間１７を通過して空気を吸い込み、この吸引空気に随伴して噴射水と除去された固形物を回収するようになっている。尚、予め取り付け具１１の固定ボルト、ナット孔を長穴にしておき、固定カバー３と保護カバー４の隙間を調整することにより、吸引空気の隙間１７での吸い込み速度を調整することができるようになっている。
【００１６】
また、保護カバー４の先端部には作業に際して、対象物との接触時に摩耗を防止し、移動を容易にするための球状の緩衝材２１が複数個取付けてあり、さらに密着性を良好にして吸引効率を高めるため薄いゴムシート１９が外周に巻き付けてあり、固定バンド２０で着脱自在に固定されている。
【００１７】
本発明は以上の構成よりなっており、本発明の使用に際しては以下のように実施する。本発明の噴射水回収装置を装着した高圧水噴射ガン１の高圧水取り入れ口７を高圧水発生装置Ｂに高圧ホース８で接続する。また、圧縮空気発生装置Ｃと高圧水噴射ガン１の空気取り入れ口９をエアホース１０で繋ぎ合わせる。また、固定カバー３にある吸引口５と吸引装置Ａを吸引ホース６で繋ぎ合わせる。
【００１８】
次に、高圧水発生装置Ｂ、圧縮空気発生装置Ｃ及び吸引装置Ａの運転を開始する。エアーモーターへの空気コックを開き圧縮空気を供給し、ノズルヘッド１５回転させる。また、吸引装置Ａも同時に吸引を開始する。次に高圧水発生装置の起動スゥイッチを入れノズルチップ１４より高圧水を噴射させる。この状態で作業を実施する。もちろん作業条件が異なる場合、吸引風量を調整しながら、噴射水や除去物が充分回収できるように、最適な吸引風量に調整すれば好い。
【００１９】
そして、保護カバー４を対象物に密着させる。保護カバー４と固定カバー３の隙間１７から、減圧された固定カバー３内部に空気が吸い込まれることにより、保護カバー３は対象物に吸着することなく、容易に移動することができる。もちろん、吸引された空気が固定カバー３と保護カバー４の隙間を通過することにより、噴射された高圧水も吸引された空気と一緒に吸引回収され排出される。その時、塗料滓やコンクリート粉等の作業により発生した廃棄物も同時に吸引して回収することができる。そのため、除去作業に際して周囲を汚したり、濡らしたりすることがない。吸引回収された水や飛散物は汚水槽に溜められた後で固液分離した後で処理される。
【００２０】
また、長時間の作業に際して固定カバー３や保護カバー４が飛散物や対象物との接触により損傷したり摩耗した場合、特に保護カバー４が損傷した場合は、取り付け具１１の固定ボルト、ナット１２を外し保護カバー４を新しい物に交換すればよい。もちろん、固定カバー３の損傷に際しては、固定カバー３を固定具２から外して交換すれば好い。
【００２１】
また、本発明の噴射水回収装置は、全体として金属またはプラスチックで作られており、除去作業に伴う飛散物からの衝撃や摩耗に十分耐えられる構造となっている。特に、保護カバーは飛散物の衝突等により、摩耗が激しいため、耐摩耗性を考慮した構造および材質で作られている。また、手持ち式高圧水噴射ガンでの作業を効率よく行わせるために装置の軽量化にも配慮された構造になっている。尚、本発明をエアー式回転ガンを例に説明したが、水圧で回転するガンに取り付けてもよく、使用するガンの種類を何等限定するものではない。
【００２２】
【発明の効果】
本発明は、以上説明したように構成されているので、以下に記載されるような効果を奏する。
【００２３】
高圧水噴射ガンに本発明の噴射水回収装置を取り付けることにより、利用後の水を回収して処理できることにより、周辺の作業環境を汚染することなく作業できる。
【００２４】
本装置の装着により、ノズルからの噴射による騒音を軽減できる。
【００２５】
構造が簡単で、作業に際して吸引減圧しても保護カバーが対象物に吸着しないため、より安定した作業が効率よくできると共に仕上がりに斑が無い。
【００２６】
構造が簡単で軽量化できるため操作しやすく足場上など不安定な場所でも安全な作業が行える。
【００２７】
また、作業によって生じた有害な塗料滓やリサイクル可能なコンクリート粉等の回収ができるため作業現場での環境保持や資源有効利用ができる。
【００２８】
構造が簡単で保護カバーの交換が簡単に行えるため、現場での作業性がよい。
【図面の簡単な説明】
【図１】噴射水回収装置を高圧水噴射ガンに取り付けた全体図である。
【図２】本発明の実施例の断面詳細図である。
【符号の説明】
１　　高圧水噴射ガン
２　　固定具
３　　固定カバー
４　　保護カバー
５　　空気吸引口
６　　吸引ホース
７　　高圧水取り入れ口
８　　高圧ホース
９　　圧縮空気取り入れ口
１０　エアーホース
１１　取り付け具
１２　固定ボルト、ナット
１３　止め具
１４　ノズルチップ
１５　ノズルヘッド
１６　シャフト
１７　隙間
１８　長穴
１９　ゴムシート
２０　固定バンド
２１　緩衝材
Ａ　　吸引装置
Ｂ　　高圧水発生装置
Ｃ　　圧縮空気発生装置
【図１】
2004114025.tif 000003
【図２】
2004114025.tif 000004